【手続補正書】
【提出日】平成24年9月7日(2012.9.7)
【手続補正１】
【補正対象書類名】明細書
【補正対象項目名】０００７
【補正方法】変更
【補正の内容】
【０００７】
上記目的を達成する第１の観点に係る眼鏡フレームの発明は、
ヨロイ部に折り畳み可能に結合されたテンプル部を有する眼鏡フレームにおいて、
前記ヨロイ部と前記テンプル部との結合部に設けられ、前記テンプル部が折り畳まれた第１の状態で、ウェアラブル機器を着脱可能とし、前記テンプル部が使用者の耳に掛けられるように開いた第２の状態で、前記ウェアラブル機器の着脱が規制される装着部を備え、
前記装着部は、前記ウェアラブル機器が着脱可能な開口部又は切り欠き部を有する、
ことを特徴とするものである。
【手続補正２】
【補正対象書類名】明細書
【補正対象項目名】０００８
【補正方法】変更
【補正の内容】
【０００８】
第２の観点に係る発明は、第１の観点に係る眼鏡フレームにおいて、
前記装着部は、前記テンプル部側に形成され、該テンプル部の前記ヨロイ部に対する当て付け面に開放した前記開口部を有し、前記第１の状態において、前記当て付け面側から前記開口部に対して前記ウェアラブル機器を着脱可能とし、前記第２の状態において、前記開口部の前記当て付け面側が前記ヨロイ部により閉塞されて、前記ウェアラブル機器の着脱が規制されるように構成されている、ことを特徴とするものである。
【手続補正３】
【補正対象書類名】明細書
【補正対象項目名】０００９
【補正方法】変更
【補正の内容】
【０００９】
第３の観点に係る発明は、第１の観点に係る眼鏡フレームにおいて、
前記装着部は、前記ヨロイ部側に形成され、該ヨロイ部の前記テンプル部に対する当て付け面に開放した前記開口部を有し、前記第１の状態において、前記当て付け面側から前記開口部に対して前記ウェアラブル機器を着脱可能とし、前記第２の状態において、前記開口部の前記当て付け面側が前記テンプル部により閉塞されて、前記ウェアラブル機器の着脱が規制されるように構成されている、ことを特徴とするものである。
【手続補正４】
【補正対象書類名】明細書
【補正対象項目名】００１０
【補正方法】変更
【補正の内容】
【００１０】
第４の観点に係る発明は、第１の観点に係る眼鏡フレームにおいて、
前記装着部は、前記ヨロイ部に設けられ、前記第１の状態において、前記ヨロイ部から露出して前記ウェアラブル機器を着脱可能とし、前記第２の状態において、前記テンプル部に形成された前記切り欠き部に収納されて前記ウェアラブル機器の着脱が規制されるように構成されている、ことを特徴とするものである。
【手続補正５】
【補正対象書類名】明細書
【補正対象項目名】００１１
【補正方法】変更
【補正の内容】
【００１１】
第５の観点に係る発明は、第１の観点に係る眼鏡フレームにおいて、
前記装着部は、前記テンプル部に設けられ、前記第１の状態において、前記テンプル部から露出して前記ウェアラブル機器を着脱可能とし、前記第２の状態において、前記ヨロイ部に形成された前記切り欠き部に収納されて前記ウェアラブル機器の着脱が規制されるように構成されている、ことを特徴とするものである。
【手続補正６】
【補正対象書類名】明細書
【補正対象項目名】００１４
【補正方法】変更
【補正の内容】
【００１４】
第８の観点に係る発明は、第７の観点に係る眼鏡フレームにおいて、
前記導電補助部は、前記テンプル部に設けられた第１導電部と、前記テンプル部を前記ヨロイ部に対して折り畳み可能に支持する蝶番を介して前記第１導電部に電気的に接続されて前記ヨロイ部に設けられた第２導電部とを有し、
前記第１の状態で前記ウェアラブル機器が前記装着部に装着されると、前記ウェアラブル機器の前記導電通路に設けられた一方の電極が前記第１導電部または前記第２導電部に電気的に接続され、前記ウェアラブル機器が前記装着部に装着されて前記第２の状態になると、前記ウェアラブル機器の前記導電通路に設けられた他方の電極が前記第２導電部または前記第１導電部に電気的に接続されて、前記ウェアラブル機器の前記一方の電極と前記他方の電極との間が前記導電補助部を介して導通するように構成されている、ことを特徴とするものである。
第９の観点に係る発明は、第１乃至８のいずれかの観点に係る眼鏡フレームにおいて、
記装着部は、前記第２の状態において、前記第１の状態における前記ウェアラブル機器の着脱方向が前記テンプル部又は前記ヨロイ部により閉塞されて、前記ウェアラブル機器の着脱が規制されるように構成されている、ことを特徴とするものである。
【手続補正７】
【補正対象書類名】明細書
【補正対象項目名】００１５
【補正方法】変更
【補正の内容】
【００１５】
さらに、上記目的を達成する第１０の観点に係るアタッチメントの発明は、
ヨロイ部に折り畳み可能に結合されたテンプル部を有する眼鏡フレームに着脱自在に装着されるウェアラブル機器の取り付け用のアタッチメントであって、
該アタッチメントは、前記ヨロイ部と前記テンプル部との結合部に着脱自在に装着されるものであり、前記眼鏡フレームに装着された状態で、前記テンプル部が折り畳まれた第１の状態において、前記ウェアラブル機器を着脱可能とし、前記テンプル部が使用者の耳に掛けられるように開いた第２の状態において、前記ウェアラブル機器の着脱が規制される装着部を備え、
前記装着部は、前記ウェアラブル機器が着脱可能な開口部又は切り欠き部を有する、
ことを特徴とするものである。
【手続補正８】
【補正対象書類名】明細書
【補正対象項目名】００１６
【補正方法】変更
【補正の内容】
【００１６】
第１１の観点に係る発明は、第１０の観点に係るアタッチメントにおいて、
前記アタッチメントは、前記テンプル部側に装着されるテンプル側アタッチメントと、前記ヨロイ部側に装着されるヨロイ側アタッチメントとを備える、ことを特徴とするものである。
【手続補正９】
【補正対象書類名】明細書
【補正対象項目名】００１７
【補正方法】変更
【補正の内容】
【００１７】
第１２の観点に係る発明は、第１１の観点に係るアタッチメントにおいて、
前記装着部は、前記テンプル側アタッチメントに形成され、該テンプル側アタッチメントの前記ヨロイ側アタッチメントに対する当て付け面に開放した前記開口部を有し、前記第１の状態において、前記当て付け面側から前記開口部に対して前記ウェアラブル機器を着脱可能とし、前記第２の状態において、前記開口部の前記当て付け面側が前記ヨロイ側アタッチメントにより閉塞されて、前記ウェアラブル機器の着脱が規制されるように構成されている、ことを特徴とするものである。
【手続補正１０】
【補正対象書類名】明細書
【補正対象項目名】００１８
【補正方法】変更
【補正の内容】
【００１８】
第１３の観点に係る発明は、第１１の観点に係るアタッチメントにおいて、
前記装着部は、前記ヨロイ側アタッチメントに形成され、該ヨロイ側アタッチメントの前記テンプル部に対する当て付け面に開放した前記開口部を有し、前記第１の状態において、前記当て付け面側から前記開口部に対して前記ウェアラブル機器を着脱可能とし、前記第２の状態において、前記開口部の前記当て付け面側が前記テンプル側アタッチメントにより閉塞されて、前記ウェアラブル機器の着脱が規制されるように構成されている、ことを特徴とするものである。
【手続補正１１】
【補正対象書類名】明細書
【補正対象項目名】００１９
【補正方法】変更
【補正の内容】
【００１９】
第１４の観点に係る発明は、第１１の観点に係るアタッチメントにおいて、
前記装着部は、前記ヨロイ側アタッチメントに設けられ、前記第１の状態において、前記ヨロイ部から露出して前記ウェアラブル機器を着脱可能とし、前記第２の状態において、前記テンプル側アタッチメントに形成された前記切り欠き部に収納されて前記ウェアラブル機器の着脱が規制されるように構成されている、ことを特徴とするものである。
【手続補正１２】
【補正対象書類名】明細書
【補正対象項目名】００２０
【補正方法】変更
【補正の内容】
【００２０】
第１５の観点に係る発明は、第１１の観点に係るアタッチメントにおいて、
前記装着部は、前記テンプル側アタッチメントに設けられ、前記第１の状態において、前記テンプル側アタッチメントから露出して前記ウェアラブル機器を着脱可能とし、前記第２の状態において、前記ヨロイ側アタッチメントに形成された前記切り欠き部に収納されて前記ウェアラブル機器の着脱が規制されるように構成されている、ことを特徴とするものである。
【手続補正１３】
【補正対象書類名】明細書
【補正対象項目名】００２１
【補正方法】変更
【補正の内容】
【００２１】
第１６の観点に係る発明は、第１１乃至１５のいずれかの観点に係るアタッチメントにおいて、
前記装着部は、前記ウェアラブル機器の装着状態で、当該ウェアラブル機器の所定の導電通路を導通させるための導通補助部を有する、ことを特徴とするものである。
【手続補正１４】
【補正対象書類名】明細書
【補正対象項目名】００２２
【補正方法】変更
【補正の内容】
【００２２】
第１７の観点に係る発明は、第１６の観点に係るアタッチメントにおいて、
前記導電補助部は、前記第２の状態で前記導電通路を導通させ、前記第１の状態で前記導電通路を遮断するように構成されている、ことを特徴とするものである。
【手続補正１５】
【補正対象書類名】明細書
【補正対象項目名】００２３
【補正方法】変更
【補正の内容】
【００２３】
第１８の観点に係る発明は、第１７の観点に係るアタッチメントにおいて、
前記導電補助部は、前記テンプル側アタッチメントに設けられた第１導電部と、前記テンプル部を前記ヨロイ部に対して折り畳み可能に支持する蝶番を介して前記第１導電部に電気的に接続されるように前記ヨロイ側アタッチメントに設けられた第２導電部とを有し、
前記第１の状態で前記ウェアラブル機器が前記装着部に装着されると、前記ウェアラブル機器の前記導電通路に設けられた一方の電極が前記第１導電部または前記第２導電部に電気的に接続され、前記ウェアラブル機器が前記装着部に装着されて前記第２の状態になると、前記ウェアラブル機器の前記導電通路に設けられた他方の電極が前記第２導電部または前記第１導電部に電気的に接続されて、前記ウェアラブル機器の前記一方の電極と前記他方の電極との間が前記導電補助部を介して導通するように構成されている、ことを特徴とするものである。
第１９の観点に係る発明は、第１１乃至１８のいずれかの観点に係るアタッチメントにおいて、前記装着部は、前記第２の状態において、前記第１の状態における前記ウェアラブル機器の着脱方向が前記テンプル側アタッチメント又は前記ヨロイ側アタッチメントにより閉塞されて、前記ウェアラブル機器の着脱が規制されるように構成されている、ことを特徴とするものである。
【手続補正１６】
【補正対象書類名】明細書
【補正対象項目名】００２４
【補正方法】変更
【補正の内容】
【００２４】
さらに、上記目的を達成する第２０の観点に係るウェアラブル機器の取り付け方法の発明は、
ヨロイ部に折り畳み可能に結合されたテンプル部を有する眼鏡フレームにウェアラブル機器を取り付けるにあたり、
前記テンプル部を折り畳んだ状態で、前記ウェアラブル機器を前記ヨロイ部と前記テンプル部との結合部の装着部に設けられた開口部又は切り欠き部に装着し、その後、前記テンプル部を使用者の耳に掛けられるように開いた状態とすることにより、前記ウェアラブル機器の前記装着部からの着脱を規制して該ウェアラブル機器を前記眼鏡フレームに保持する、
ことを特徴とするものである。
【手続補正１７】
【補正対象書類名】特許請求の範囲
【補正対象項目名】全文
【補正方法】変更
【補正の内容】
【特許請求の範囲】
【請求項１】
ヨロイ部に折り畳み可能に結合されたテンプル部を有する眼鏡フレームにおいて、
前記ヨロイ部と前記テンプル部との結合部に設けられ、前記テンプル部が折り畳まれた第１の状態で、ウェアラブル機器を着脱可能とし、前記テンプル部が使用者の耳に掛けられるように開いた第２の状態で、前記ウェアラブル機器の着脱が規制される装着部を備え、
前記装着部は、前記ウェアラブル機器が着脱可能な開口部又は切り欠き部を有する、
ことを特徴とする眼鏡フレーム。
【請求項２】
前記装着部は、前記テンプル部側に形成され、該テンプル部の前記ヨロイ部に対する当て付け面に開放した前記開口部を有し、前記第１の状態において、前記当て付け面側から前記開口部に対して前記ウェアラブル機器を着脱可能とし、前記第２の状態において、前記開口部の前記当て付け面側が前記ヨロイ部により閉塞されて、前記ウェアラブル機器の着脱が規制されるように構成されている、ことを特徴とする請求項１に記載の眼鏡フレーム。
【請求項３】
前記装着部は、前記ヨロイ部側に形成され、該ヨロイ部の前記テンプル部に対する当て付け面に開放した前記開口部を有し、前記第１の状態において、前記当て付け面側から前記開口部に対して前記ウェアラブル機器を着脱可能とし、前記第２の状態において、前記開口部の前記当て付け面側が前記テンプル部により閉塞されて、前記ウェアラブル機器の着脱が規制されるように構成されている、ことを特徴とする請求項１に記載の眼鏡フレーム。
【請求項４】
前記装着部は、前記ヨロイ部に設けられ、前記第１の状態において、前記ヨロイ部から露出して前記ウェアラブル機器を着脱可能とし、前記第２の状態において、前記テンプル部に形成された前記切り欠き部に収納されて前記ウェアラブル機器の着脱が規制されるように構成されている、ことを特徴とする請求項１に記載の眼鏡フレーム。
【請求項５】
前記装着部は、前記テンプル部に設けられ、前記第１の状態において、前記テンプル部から露出して前記ウェアラブル機器を着脱可能とし、前記第２の状態において、前記ヨロイ部に形成された前記切り欠き部に収納されて前記ウェアラブル機器の着脱が規制されるように構成されている、ことを特徴とする請求項１に記載の眼鏡フレーム。
【請求項６】
前記装着部は、前記ウェアラブル機器の装着状態で、当該ウェアラブル機器の所定の導電通路を導通させるための導通補助部を有する、ことを特徴とする請求項１乃至５のいずれか一項に記載の眼鏡フレーム。
【請求項７】
前記導電補助部は、前記第２の状態で前記導電通路を導通させ、前記第１の状態で前記導電通路を遮断するように構成されている、ことを特徴とする請求項６に記載の眼鏡フレーム。
【請求項８】
前記導電補助部は、前記テンプル部に設けられた第１導電部と、前記テンプル部を前記ヨロイ部に対して折り畳み可能に支持する蝶番を介して前記第１導電部に電気的に接続されて前記ヨロイ部に設けられた第２導電部とを有し、
前記第１の状態で前記ウェアラブル機器が前記装着部に装着されると、前記ウェアラブル機器の前記導電通路に設けられた一方の電極が前記第１導電部または前記第２導電部に電気的に接続され、前記ウェアラブル機器が前記装着部に装着されて前記第２の状態になると、前記ウェアラブル機器の前記導電通路に設けられた他方の電極が前記第２導電部または前記第１導電部に電気的に接続されて、前記ウェアラブル機器の前記一方の電極と前記他方の電極との間が前記導電補助部を介して導通するように構成されている、ことを特徴とする請求項７に記載の眼鏡フレーム。
【請求項９】
前記装着部は、前記第２の状態において、前記第１の状態における前記ウェアラブル機器の着脱方向が前記テンプル部又は前記ヨロイ部により閉塞されて、前記ウェアラブル機器の着脱が規制されるように構成されている、ことを特徴とする請求項１乃至８のいずれか一項に記載の眼鏡フレーム。
【請求項１０】
ヨロイ部に折り畳み可能に結合されたテンプル部を有する眼鏡フレームに着脱自在に装着されるウェアラブル機器の取り付け用のアタッチメントであって、
該アタッチメントは、前記ヨロイ部と前記テンプル部との結合部に着脱自在に装着されるものであり、前記眼鏡フレームに装着された状態で、前記テンプル部が折り畳まれた第１の状態において、前記ウェアラブル機器を着脱可能とし、前記テンプル部が使用者の耳に掛けられるように開いた第２の状態において、前記ウェアラブル機器の着脱が規制される装着部を備え、
前記装着部は、前記ウェアラブル機器が着脱可能な開口部又は切り欠き部を有する、
ことを特徴とするアタッチメント。
【請求項１１】
前記アタッチメントは、前記テンプル部側に装着されるテンプル側アタッチメントと、前記ヨロイ部側に装着されるヨロイ側アタッチメントとを備える、ことを特徴とする請求項１０に記載のアタッチメント。
【請求項１２】
前記装着部は、前記テンプル側アタッチメントに形成され、該テンプル側アタッチメントの前記ヨロイ側アタッチメントに対する当て付け面に開放した前記開口部を有し、前記第１の状態において、前記当て付け面側から前記開口部に対して前記ウェアラブル機器を着脱可能とし、前記第２の状態において、前記開口部の前記当て付け面側が前記ヨロイ側アタッチメントにより閉塞されて、前記ウェアラブル機器の着脱が規制されるように構成されている、ことを特徴とする請求項１１に記載のアタッチメント。
【請求項１３】
前記装着部は、前記ヨロイ側アタッチメントに形成され、該ヨロイ側アタッチメントの前記テンプル部に対する当て付け面に開放した前記開口部を有し、前記第１の状態において、前記当て付け面側から前記開口部に対して前記ウェアラブル機器を着脱可能とし、前記第２の状態において、前記開口部の前記当て付け面側が前記テンプル側アタッチメントにより閉塞されて、前記ウェアラブル機器の着脱が規制されるように構成されている、ことを特徴とする請求項１１に記載のアタッチメント。
【請求項１４】
前記装着部は、前記ヨロイ側アタッチメントに設けられ、前記第１の状態において、前記ヨロイ部から露出して前記ウェアラブル機器を着脱可能とし、前記第２の状態において、前記テンプル側アタッチメントに形成された前記切り欠き部に収納されて前記ウェアラブル機器の着脱が規制されるように構成されている、ことを特徴とする請求項１１に記載のアタッチメント。
【請求項１５】
前記装着部は、前記テンプル側アタッチメントに設けられ、前記第１の状態において、前記テンプル側アタッチメントから露出して前記ウェアラブル機器を着脱可能とし、前記第２の状態において、前記ヨロイ側アタッチメントに形成された前記切り欠き部に収納されて前記ウェアラブル機器の着脱が規制されるように構成されている、ことを特徴とする請求項１１に記載のアタッチメント。
【請求項１６】
前記装着部は、前記ウェアラブル機器の装着状態で、当該ウェアラブル機器の所定の導電通路を導通させるための導通補助部を有する、ことを特徴とする請求項１１乃至１５のいずれか一項に記載のアタッチメント。
【請求項１７】
前記導電補助部は、前記第２の状態で前記導電通路を導通させ、前記第１の状態で前記導電通路を遮断するように構成されている、ことを特徴とする請求項１６に記載のアタッチメント。
【請求項１８】
前記導電補助部は、前記テンプル側アタッチメントに設けられた第１導電部と、前記テンプル部を前記ヨロイ部に対して折り畳み可能に支持する蝶番を介して前記第１導電部に電気的に接続されるように前記ヨロイ側アタッチメントに設けられた第２導電部とを有し、
前記第１の状態で前記ウェアラブル機器が前記装着部に装着されると、前記ウェアラブル機器の前記導電通路に設けられた一方の電極が前記第１導電部または前記第２導電部に電気的に接続され、前記ウェアラブル機器が前記装着部に装着されて前記第２の状態になると、前記ウェアラブル機器の前記導電通路に設けられた他方の電極が前記第２導電部または前記第１導電部に電気的に接続されて、前記ウェアラブル機器の前記一方の電極と前記他方の電極との間が前記導電補助部を介して導通するように構成されている、ことを特徴とする請求項１７に記載のアタッチメント。
【請求項１９】
前記装着部は、前記第２の状態において、前記第１の状態における前記ウェアラブル機器の着脱方向が前記テンプル側アタッチメント又は前記ヨロイ側アタッチメントにより閉塞されて、前記ウェアラブル機器の着脱が規制されるように構成されている、ことを特徴とする請求項１１乃至１８のいずれか一項に記載のアタッチメント。
【請求項２０】
ヨロイ部に折り畳み可能に結合されたテンプル部を有する眼鏡フレームにウェアラブル機器を取り付けるにあたり、
前記テンプル部を折り畳んだ状態で、前記ウェアラブル機器を前記ヨロイ部と前記テンプル部との結合部の装着部に設けられた開口部又は切り欠き部に装着し、その後、前記テンプル部を使用者の耳に掛けられるように開いた状態とすることにより、前記ウェアラブル機器の前記装着部からの着脱を規制して該ウェアラブル機器を前記眼鏡フレームに保持する、
ことを特徴とするウェアラブル機器の取り付け方法。